【事件の表示】
　特願２０００−１４１９８８「ディスク再生装置」拒絶査定に対する審判事件［平成１２年１２月１５日出願公開、特開２０００−３４８４１９］について、次のとおり審決する。
【結　論】
　本件審判の請求は、成り立たない。
【理　由】
１、手続の経緯、本願発明の認定
　本願は、特願平４−６５１０４号（平成４年３月２３日出願）を平成１２年５月１５日に分割出願（出願基準日は平成４年３月２３日）したものであって、その発明は、補正された明細書及び図面の記載によれば請求項１および２に記載された２発明と認められるが、その内の請求項１で特定される発明は、
「音声データを圧縮して記録したディスクを再生するディスク再生装置において、
　上記ディスクに記録された音声圧縮データの中から音声圧縮データを選択して再生を指示する選択手段と、
　音声圧縮データをサーチするサーチ手段と、
　該サーチ手段でサーチした音声圧縮データを読み取り再生する再生手段と、
　該再生手段で再生した上記音声圧縮データを記憶するショック・プルーフ用の記憶手段と、
　該記憶手段に記憶された上記音声圧縮データを伸長してもとの音声データにする伸長手段と、
　該伸長手段からの出力信号をデジタルからアナログに変換して音声信号を出力するＤ／Ａ変換器と、
　再生待機中に上記音声圧縮データの先頭から少なくとも上記再生手段が再生を継続し得るまでの時間に相当する音声圧縮データの先頭部を上記再生手段で読み取って上記ショック・プルーフ用の記憶手段の一部の領域に記憶させ、上記選択手段で選択した音声圧縮データの再生指示があったときに上記記憶手段に記憶された音声圧縮データの先頭部の中から選択された音声圧縮データの先頭部を上記伸長手段に出力する制御手段と、
　を具備することを特徴とするディスク再生装置。」（以下、本願発明という）
　
であると認められる。
　
２、刊行物発明
　これに対して、原審が拒絶の理由に引用した特開平１ー２０５７６４号公報（以下「刊行物」という）には、第１〜５図と発明の詳細な説明に、
（１）発明の名称を「ＰＣＭ再生装置」として
（２）特許請求の範囲「２．再生すべき実情報およびアドレス情報からなるデータが記録された媒体よりデータを読み出す読出手段と、この読み出された信号を復調する復調手段と、この復調信号を再生信号に変換する信号処理手段とを備えたＰＣＭ再生装置において、
　再生動作を行う前に予め所定のデータブロック群の一部を書き込み所定の時点で読み出しを行うメモリおよびメモリ制御手段と、
　上記復調手段からの復調信号を所定の段数だけディジタル的に遅延させる可変段数遅延手段と、
　上記可変段数遅延手段により得られる遅延信号と上記メモリにより得られるメモリ再生信号を選択し、上記信号処理手段に信号を送出するセレクタおよびセレクタ制御手段を備えたことを特徴とするＰＣＭ再生装置。」
（３）１頁右下欄１５行〜２頁左上欄１行「［産業上の利用分野］　本発明は、ＰＣＭ再生装置において、特に再生するデータブロック群の各概要を瞬時に知ることが可能なＰＣＭ再生装置に関し、また、所定の位置からアクセス時間待ちをすることなく、瞬時に再生を開始することが可能なＰＣＭ再生装置に関する。」
（４）２頁右下欄１０〜１９行「また、第２の発明による構成によれば、メモリは所定の位置へアクセスするまでの復調データを予め記憶しておき、アクセスが完了するまでの間、復調信号を出力し、可変段数遅延手段はアクセスが完了した後、媒体からの復調信号を遅延し、メモリからの復調信号と同期をとる動作を行い、セレクタはメモリからの復調信号から、媒体からの復調信号の遅延信号へ切替える。この動作により、アクセス時間待ちをすることなく、瞬時に再生が行われる。」
（５）３頁右上欄１８行〜左下欄５行「ＣＤプレーヤでは、通常、曲単位で、１つのデータブロック群を形成しており、その概要は、各曲の先頭部分、いわゆるイントロで示される。メモリ書き込み制御回路３は、初期化あるいは新しいディスクを再生する際に各曲の先頭部分（例えば１０秒だけ）をメモリ２に記憶するように制御する。この結果、メモリ２には、第３図で示すように各曲の先頭部分が格納される。」
（６）３頁右上欄１２行〜４頁左上欄１１行「メモリ２に書き込まれた後、アクセスする場合について、第５図を用いて説明する。第５図において、再生開始と同時に希望する曲の先頭へのアクセスが開始される。アクセス中は、メモリ２からの再生信号ａが、セレクタ４により選択され、信号処理回路６を通して音楽の再生信号ｄとなる。ディスクへのアクセスは、曲の先頭ではなく、先頭から例えば１秒後（ＭＩＮ＝００，ＳＥＣ＝０１，ＦＲＡＭＥ＝００）に対して行われる。アクセスが終了した時点（ＳＥＣ＝０１，ＦＲＡＭＥ＝００の先頭）から、上記メモリ再生信号ａのＳＥＣ＝０１，ＦＲＡＭＥ＝００の先頭までのカウント数ｄｎを遅延段数決定回路８が計数し、可変段数遅延回路７にカウント数ｄｎだけ復調信号ｂを遅延させる指令を出す。その時点でセレクタ４は、セレクタ制御回路５の指令によりメモリ再生信号ａから遅延信号ｃに切替える。可変段数遅延回路７により両信号は同期化されるので、異音を発することなく再生され、連続した再生信号ｄが得られる。」
（７）４頁左上欄１２〜１４行「本発明は、以上詳述した各実施例に限定されるものでなく、同様な構成をもつＰＣＭ再生装置ー般に適用できるものである。」
（８）４頁右上欄２〜６行「また、請求項２のＰＣＭ再生装置によれば、再生信号を、予め書き込んだメモリ再生信号から復調信号の遅延信号に切り換えるようにしたため、アクセス時間待ちをすることがなく、瞬時に所望の位置から再生を行うことができる。」（該「復調信号」は刊行物記載では「複調信号」となっているが明らかな誤記として上記のように訂正の上引用した。）
という記載がある。
　これら記載から判断して、刊行物には、
　
　再生すべき複数の音楽情報および複数のアドレス情報からなるデータが記録された媒体よりデータを読み出す読出手段と、この読み出された音楽情報を復調する復調手段と、この復調信号を再生信号に変換する信号処理手段とを備えたＰＣＭ再生装置において、
　該再生すべき複数の音楽情報および複数のアドレス情報からなるデータが記録された媒体より、１つの音楽情報の再生を指示する手段と、
　音楽情報にアクセスするアクセス手段と、
　アクセス手段でアクセスした音楽情報を読み出し再生する読出手段と、
　該複数の音楽情報の一部を記憶するメモリと、
　再生動作を行う前に上記音楽情報の先頭から少なくとも上記読出手段が再生を継続し得るまでのアクセス時間に相当する音楽情報の先頭部分を読出手段で読み取って上記メモリに記憶させ、上記複数の音楽情報の内、選択された１つの音楽情報の再生が指示されると、該メモリに記憶された複数の音楽情報の先頭部分の中から指示された音楽情報の先頭部分を信号処理回路に送出する手段
を備えたＰＣＭ再生装置（以下、「刊行物記載発明」という。発明の認定は第１〜５図等から認定）
　
の発明が記載されているものと認める。
　　
３、対　比
　以下に、本願発明と刊行物記載発明とを対比する。
　本願発明は記憶手段について「ショック・プルーフ用の記憶手段」と特定しているが、【０００４】に記載されるショック・プルーフ動作およびその為の回路構成については本願発明に何も記載がないので、単なる記憶手段の称号と認められ、刊行物記載発明のメモリとの相違は認められない。さらに刊行物記載発明の「再生動作を行う前」と本願発明の「再生待機中」とは、共に再生動作を行っていない状態をいうので実質的な相違はない。
　そうしてみれば、刊行物記載発明の「再生すべき複数の音楽情報および複数のアドレス情報からなるデータが記録された媒体より該音楽情報を読み出す読出手段と、この読み出された音楽情報を復調する復調手段と、この復調信号を再生信号に変換する信号処理手段とを備えたＰＣＭ再生装置」・「該再生すべき複数の音楽情報が記録された媒体より、１つの音楽情報の再生を指示する手段」・「音楽情報にアクセスする手段と、　アクセスする手段でアクセスした音楽情報を読み出し再生する読出手段」・「該複数の音楽情報の一部を記憶するメモリ」・「再生動作を行う前に上記音楽情報の先頭から少なくとも上記読出手段が再生を継続し得るまでのアクセス時間に相当する音楽情報の先頭部分を読出手段で読み取って上記メモリに記憶させ、上記複数の音楽情報の内、選択された１つの音楽情報の再生が指示されると、該メモリに記憶された複数の音楽情報の先頭部分の中から指示された音楽情報の先頭部分を信号処理回路に送出する手段」・「ＰＣＭ再生装置」と本願発明の「音声データ」を「記録したディスクを再生するディスク再生装置」・「上記ディスクに記録された音声」「データの中から音声」「データを選択して再生を指示する選択手段」・「音声圧縮データをサーチするサーチ手段」・「該サーチ手段でサーチした音声」「データを読み取り再生する再生手段」・「該再生手段で再生した上記音声」「データを記憶するショック・プルーフ用の記憶手段」・「再生待機中に上記音声」「データの先頭から少なくとも上記再生手段が再生を継続し得るまでの時間に相当する音声」「データの先頭部を上記再生手段で読み取って上記ショック・プルーフ用の記憶手段」の「領域に記憶させ、上記選択手段で選択した音声」「データの再生指示があったときに上記記憶手段に記憶された音声圧縮データの先頭部の中から選択された音声」「データの先頭部」を「出力する制御手段」・「ディスク再生装置」の構成は対応するので、
　
刊行物記載発明と本願発明とは、本願発明の用語をもって表記すれば
　
　音声データを記録したディスクを再生するディスク再生装置において、
　上記ディスクに記録された音声圧縮データの中から音声圧縮データを選択して再生を指示する選択手段と、
　音声データをサーチするサーチ手段と、
　該サーチ手段でサーチした音声データを読み取り再生する再生手段と、
　該再生手段で再生した上記音声データを記憶するショック・プルーフ用の記憶手段と、
　再生待機中に上記音声データの先頭から少なくとも上記再生手段が再生を継続し得るまでの時間に相当する音声データの先頭部を上記再生手段で読み取って上記ショック・プルーフ用の記憶手段の領域に記憶させ、上記選択手段で選択した音声データの再生指示があったときに上記記憶手段に記憶された音声データの先頭部の中から選択された音声データの先頭部を出力する制御手段と
　を具備するディスク再生装置
　
では同じであるものの、
（１）媒体に記憶されているＰＣＭの音楽データが刊行物記載発明ではＰＣＭ情報・コンパクトディスクという記載であるのに対して、本願発明は圧縮データであり、そのため、音声圧縮データのまま記憶手段に記憶させ、かつ、音声圧縮データを伸長して元の音声データにする伸長手段をも有している点。（以下、相違点１という）
（２）刊行物記載発明もＰＣＭデータを再生するものであるが、Ｄ／Ａ変換器の記載がないのに対して、本願発明でＤ／Ａ変換器を有している点。（以下、相違点２という）
（３）記憶手段の容量と記憶データの関係が、刊行物記載発明では記載がないのに対して、本願発明は「ショック・プルーフ用の記憶手段の一部の領域に記憶させ」る点。（以下、相違点３という）
で発明が相違しているものと認める。　
　
４、相違点に対する当審の判断
（１）相違点１に対して
　刊行物記載発明はＰＣＭ再生装置である。上記刊行物記載の２（７）で類似のＲＣＭ再生装置に適用し得ることの記載もある。そして、ＰＣＭ再生装置としては、刊行物記載のコンパクトディスクの他、データを圧縮して記録するミニディスク等が存在することは周知である。
　したがって、刊行物記載のＰＣＭ再生技術をデータを圧縮して記録したミニディスク等に適用してみることに格別の困難性はない。
　又、記憶手段に記憶させるにあたって、伸張したデータより圧縮したデータの方がより大量のデータを記憶し得ることは記憶技術の常識に他ならず、当再生の技術分野においても、音飛び防止技術が開示されている特開平３−４０２６９号の第３頁右上欄第１８〜２０行に「データ圧縮して記憶する理由は同じＲＡＭであれば２倍あるいは４倍のデータを記憶できるようになるからである」という記載からも判るとおり、本願出願前に当業者であれば誰でも想到しえる程度のことであるから、音声データを圧縮して記録されたディスクから音声圧縮データの先頭から少なくとも再生手段が再生を継続し得るまでの時間に相当する音声圧縮データの先頭部分を再生手段で読み取ってショック・プルーフ用の記憶手段の一部に記憶させるにあたって、圧縮データのまま記憶させ、記憶手段から読み出した後に伸張させることはメモリの有効利用という観点からして当業者が容易に想到し得たところに他ならない。
　
（２）相違点２に対して
　刊行物記載発明も音楽情報を対象としたＰＣＭ再生装置に関する発明なので、最終的にＤ／Ａ変換器を設けることは当然の構成であるから、この点に格別の技術的意義を認めることはできない。
　
（３）相違点３に対して
　刊行物発明や本願発明のような曲の先頭部分を記憶手段に記憶させるものにおいて、記憶媒体に録音されている曲数は媒体毎に異なるのが普通であるから、曲数が多ければ記憶すべきデータ容量も当然多くなることは自明である。このように記憶すべきデータ容量が可変する場合、用いる記憶手段の記憶容量には余裕を持たせるのが記憶手段を採用する場合の一般的な考え方である。
　そうしてみれば、周知のショック・プルーフ用として用いられている大容量の記憶手段を採用することで、各曲の先頭部分をすべて該記憶手段に記憶させさせても、該記憶手段の記憶容量に余裕があることから、記憶手段の一部領域にデータが記憶されることは当然のことにすぎない。
　　　　　　　
５、むすび
　したがって、本願発明は、原審で示した刊行物に記載された発明に基づいて当業者が容易に発明をすることができたものと認められるので、特許法第２９条第２項の規定により特許をすることができない。　　
　よって結論のとおり審決する。